(57)【要約】      （修正有）【課題】液晶パネルの特性を利用して、光の透過又は遮断を制御することで、裏面に配置された表示物の表示又は非表示を電子的に制御する技術を応用し、娯楽性及び趣向性を高めると共に、構造を簡素化し、小型かつ低コストで製造可能な液晶表示装置を提供する。【解決手段】液晶パネル２の裏面に、表示物３が配設された液晶表示装置１であって、表示物３が、使用者により変更可能な構成であり、液晶パネル２の通電時には、液晶パネル２が光を透過させることにより、表示物３が表示され、液晶パネル２の非通電時には、液晶パネル２が光を遮断し、表示物３が表示されない構成である。【選択図】図１
0003194671.tif 000002
【実用新案登録請求の範囲】
【請求項１】
液晶パネルの裏面に、表示物が配設された液晶表示装置であって、
前記表示物が、使用者により変更可能な構成であり、
前記液晶パネルの通電時には、該液晶パネルが光を透過させることにより、前記表示物が表示され、
前記液晶パネルの非通電時には、該液晶パネルが光を遮断し、前記表示物が表示されない構成であることを特徴とする液晶表示装置。
【請求項２】
液晶パネルが、通電時には光を透過し、非通電時には光を反射して鏡体となる構成であり、
前記液晶パネルの通電時には、表示物が表示され、
前記液晶パネルの非通電時には、前記表示物が表示されず、鏡として使用される構成であることを特徴とする請求項１に記載の液晶表示装置。
【請求項３】
表示物が、写真であり、写真立て又は写真ケースとして使用される構成であることを特徴とする請求項１又は２に記載の液晶表示装置。
【請求項４】
表示物が、愛情又は友情を表現した図形又は文字であり、相手に対するメッセージを伝える玩具として使用される構成であることを特徴とする請求項１又は２に記載の液晶表示装置。
【請求項５】
表示物が、アニメ、ヒーローもの又は戦隊もののキャラクター、アイテム又はロゴマークであり、子供のための玩具として使用される構成であることを特徴とする請求項１又は２に記載の液晶表示装置。
【考案の詳細な説明】
【技術分野】
【０００１】
本考案は、液晶表示装置に関し、詳しくは、液晶パネルの特性を利用して、液晶パネルの裏面に配置した表示物を、簡単な操作で、表示画面に表示又は非表示とすることができる液晶表示装置に関する。
【背景技術】
【０００２】
従来から、液晶パネルの特性を利用したシャッター技術が知られている。
【０００３】
特許文献１に記載の技術は、『顔写真を表示する表示部とシャッターとして機能するシャッター部とを有する液晶ディスプレイと、この液晶ディスプレイの裏面に帖着され、前記シャッター部に対応する位置に所定の情報が印刷された印刷物と、前記液晶ディスプレイを駆動する駆動回路とを具備する電子式身分証明書』である。ここでいう「シャッター部」は、液晶ディスプレイが駆動していない場合には、光を遮断し黒表示となり、裏面の印刷物が表示されないのに対して、液晶ディスプレイが駆動している場合には、光が透過して、裏面の印刷物が表示されるという作用を有するものである。
【０００４】
特許文献１に記載の技術によれば、液晶ディスプレイの裏面に配置された印刷物の表示又は非表示を、液晶ディスプレイの特性を利用して電子的に制御することができる。
しかし、この技術は、身分証明書に係る技術であり、固定された印刷物の表示又は非表示を制御するという用途に限定され、娯楽目的の技術ではなく、趣向性にかけるという問題があった。
【０００５】
【特許文献１】特開平５−２５４２８０
【考案の開示】
【考案が解決しようとする課題】
【０００６】
そこで、本考案の課題は、液晶パネルの特性を利用して、光の透過又は遮断を制御することで、裏面に配置された表示物の表示又は非表示を電子的に制御する技術を応用し、娯楽性及び趣向性を高めると共に、構造を簡素化し、小型かつ低コストで製造可能な液晶表示装置を提供することにある。
【課題を解決するための手段】
【０００７】
上記課題を解決する本考案は、下記構成を有する。
１．液晶パネルの裏面に、表示物が配設された液晶表示装置であって、
前記表示物が、使用者により変更可能な構成であり、
前記液晶パネルの通電時には、該液晶パネルが光を透過させることにより、前記表示物が表示され、
前記液晶パネルの非通電時には、該液晶パネルが光を遮断し、前記表示物が表示されない構成であることを特徴とする液晶表示装置。
【０００８】
２．液晶パネルが、通電時には光を透過し、非通電時には光を反射して鏡体となる構成であり、
前記液晶パネルの通電時には、表示物が表示され、
前記液晶パネルの非通電時には、前記表示物が表示されず、鏡として使用される構成であることを特徴とする前記１に記載の液晶表示装置。
【０００９】
３．表示物が、写真であり、写真立て又は写真ケースとして使用される構成であることを
特徴とする前記１又は２に記載の液晶表示装置。
【００１０】
４．表示物が、愛情又は友情を表現した図形又は文字であり、相手に対するメッセージを伝える玩具として使用される構成であることを特徴とする前記１又は２に記載の液晶表示装置。
【００１１】
５．表示物が、アニメ、ヒーローもの又は戦隊もののキャラクター、アイテム又はロゴマークであり、子供のための玩具として使用される構成であることを特徴とする前記１又は２に記載の液晶表示装置。
【考案の効果】
【００１２】
前記１に示す考案によれば、液晶パネルに通電させると、液晶パネルは光を透過させ、裏面に配設された表示物が表示画面に表示されるのに対して、液晶パネルに通電がされないと、液晶パネルは光を透過させず遮断するので、該表示物が表示画面に表示されない。即ち、液晶パネルへの通電又は非通電をスイッチのオン／オフによって変更すれば、表示物の表示又は非表示を簡単な操作で制御することができる。
【００１３】
また、表示物が、使用者の手によって変更可能な構成であり、用途や気分等に合わせて表示物を任意のものに交換することができ、娯楽性及び趣向性を高めることができる。
更に、公知の液晶パネルを用いることができ、この液晶パネルの裏面に表示物を配置するという簡素な基本構造であるため、小型化が可能であり、製造コストも抑えることができる。
【００１４】
前記２に示す考案によれば、普段は鏡として使用でき、必要なときにだけ液晶パネルを駆動（通電）させ、表示物を表示画面に表示させることができる。
【００１５】
前記３に示す考案によれば、表示物を写真とすることで、据え置き用の又は持ち運び用の写真立て又は写真ケースとして使用することができる。
【００１６】
前記４に示す考案によれば、表示物を、例えば、「ハート型」の図形や「ＬＯＶＥ」の文字など、愛情又は友情を表現した図形又は文字とすることで、恋人や友人同士のコミュニケーションツールとして使用することができる。
【００１７】
前記５に示す考案によれば、表示物を、アニメ、ヒーローもの又は戦隊ものなどのキャラクター、アイテム又はロゴマーク又はこれらをモチーフにした図形とすることで、子供のための玩具として使用することができ、子供同士の友情の証や、子供に人気のアニメ、ヒーローもの又は戦隊もの等のグッズとして使用することができる。
【図面の簡単な説明】
【００１８】
【図１】本考案に係る液晶表示装置の一実施例を表す概略斜視図
【図２】本考案に用いられる液晶パネルの一例を表す概略構成図
【考案を実施するための最良の形態】
【００１９】
添付の図面に従って、本考案に係る液晶表示装置を詳細に説明する。
図１は、本考案に係る液晶表示装置（以下、単に「液晶表示装置」という。）１の一実施例を表す概略斜視図であり、図２は、液晶表示装置１に用いられる液晶パネル２の一例を表す概略構成図である。
【００２０】
液晶表示装置１は、図１に示されるように、少なくとも、液晶パネル２とその裏面に表示物３が設けられ、これらを覆う枠体６に、液晶パネル４への通電の入り切りを操作する
スイッチ４と、表示物３を変更・交換するためのスロット５が設けられる。以下に、各構成部について説明する。
【００２１】
液晶パネル２は、通電されると光を透過させ、通電がされないと光を遮断する特性を有するものが用いられる。このような液晶パネルは、液晶シャッターとして知られており、本考案では、かかる機能を有する公知公用の液晶パネルを特別の制限なく採用することができる。なお、液晶パネル２への通電は、スイッチ４によって入切が操作でき、駆動電源としては、電池が使用されることが好ましい（図示しない。）。
【００２２】
使用される液晶パネル２の具体例として、通電時にポジ表示となり光を透過し、非通電時にネガ表示となり光を遮断する構成のものを挙げることができる。この場合、液晶パネル２には、通電時にのみ表示物３が表示され、非通電時は、液晶で覆われ黒色の表示となり何も表示されない。
【００２３】
また、液晶パネル２は、通電時には光を透過し、非通電時には光を反射して鏡体となる構成のものが好ましい。これにより、液晶表示装置１を、普段は鏡として使用でき、必要なときにだけ液晶パネル２を駆動（通電）させ、表示物３を表示させることができる。
【００２４】
かかる鏡体として使用可能な構成の液晶パネル２について、図２に概略構成図を示す。
液晶パネル２は、上から、上偏光板２１、透明電極２２、液晶剤２３、透明電極２２及び下偏光板２４が層になって構成される。尚、図２に示される構成は例示であって、これに配向膜やバックライトなど他の部材が追加されてもよい。
【００２５】
上偏光板２１は、透過型の偏光板であり、公知公用のものを特別の制限なく採用することができる。
透明電極２２は、例えばＩＴＯ（酸化インジウムスズ）を採用することができ、その他公知公用の透明電極を特別の制限なく採用することができる。
また、使用される液晶剤２３に限定はなく、公知公用の液晶剤を特別の制限なく採用することができる。
【００２６】
下偏光板２４は、ミラータイプの透過型又は半透過型偏光板が用いられる。これを用いることにより、液晶パネル２に通電時には、この下偏光板２４を光が透過し、表示物３が表示されるが、非通電時には、この下偏光板２４で、表示物３に向かう光が遮断され、表示物３は表示されず、液晶パネル２は鏡面となる。使用する下偏光板２４の具体例として、反射型偏光フィルムであるスリーエム社製の「ＤＢＥＦ（Dual Brightness Enhancement Film）」のうち、ミラータイプのものを挙げることができる。
【００２７】
表示物３は、何らかの文字、図形、絵、写真、メッセージなどが描かれた紙状又は薄板状のシート体である。表示物３の大きさや形状に限定はないが、液晶パネル２の大きさや形状、特に液晶パネル２の表示画面の大きさや形状に対応することが好ましい。
【００２８】
表示物３は、図１に示されるように、液晶パネル２の裏面に配設される。この際に、表示物３を直接配設してもよいし、液晶パネルの大きさや形状に対応した板状の固定具（以下、「固定板」という。）を用意し、この固定板３１に表示物３を固定した上で、液晶パネル２の裏面に配設してもよい。
固定板３１には、図１に示されるように、表示物３を固定するための係止部３２や、表示物３を変更・交換する際に、手指で取り扱い易くするための持ち手部３３を設けてもよい。
【００２９】
表示物３は、使用者の手によって変更ないし交換が可能な構成である。このため、図１
に示されるように、液晶表示装置１には、表示物３を交換するためのスロット５が設けられることが好ましい。この構成によれば、スロット５から表示物３を挿入して、液晶パネル２の裏面に設置することができるし、設置された表示物３を、スロット５から引き抜くこともできる。表示物３に固定板が設けられる構成であれば、この固定板を、スロット５から抜き差しすることで、表示物３を変更ないし交換することができる。
【００３０】
表示物３を変更ないし交換する手段は、上記スロット５を設ける構成に限定されず、シート体の変更ないし交換手段として公知公用の技術を特別の制限なく採用することができる。
【００３１】
液晶表示装置１には、図１に示されるように、絶縁材料で成形された枠体６が設けられ、液晶パネル２や表示物３が覆われることが好ましい。これにより、液晶パネル２に、塵や埃などが混入することを防ぎ、これによる故障や誤動作を防止することができ、表示物３についても汚れを防ぐことができる。この枠体６の形態に限定はなく、審美性や趣向性のある形態に成形することで、液晶表示装置１の外観を装飾することができる。
【００３２】
枠体６を形成する材料に限定はないが、例えば、ポリエチレン、ポリプロピレン、ポリウレタン、ポリカーボネート、ポリ塩化ビニルなどの熱可塑性樹脂又は熱硬化性樹脂を挙げることができ、これらの樹脂で、射出成型やプレス成形などの公知の手段によって成形することができる。
【００３３】
次に、表示物３の内容について、例示して説明する。
表示物３は、写真とすることができる。これにより、液晶表示装置１は、据え置き用の又は持ち運び用の写真立て又は写真ケースとして使用することができる。
上記の場合、写真の中でも、プリントシール機による写真シールを挙げることができる。液晶表示装置１を、写真シールを表示させる仕様とする場合は、液晶パネル２の大きさを、これに適合させることが好ましく、例えば、一般的な写真シールのサイズである幅２４ｍｍ×高さ１７ｍｍに適合させることが好ましい。
【００３４】
表示物３は、愛情又は友情を表現した図形又は文字とすることができる。例えば、「ハート型」の図形や「ＬＯＶＥ」の文字などを挙げることができる。これにより、液晶表示装置１は、恋人や友人同士のコミュニケーションツールとして使用することができる。
また、表示物３を、手書き等による相手へのメッセージとすれば、プレゼントやプレゼントの品に添えるメッセージカードとして、液晶表示装置１を利用することもできる。
更に、表示物３を、客に対するメッセージとすれば、店頭に置くメッセージボードとして利用でき、開店時にはメッセージを表示させ、閉店時にはメッセージを表示させないといった方法で使用できる。
【００３５】
表示物３は、アニメ、ヒーローもの又は戦隊もののキャラクター、アイテム又はロゴマーク又はこれらをモチーフにした図形とすることができる。これにより、液晶表示装置１を、子供のための玩具として使用することができ、子供同士の友情の証や、子供に人気のヒーローものや戦隊もののグッズとして使用することができる。この場合、表示物３は、ヒーローもの等関連する形態等に限定されず、漫画や映画等のキャラクターなど、子供の趣向に合わせたものを採用することができる。
【００３６】
表示物３は、企業名又はその略称、コーポレートマーク、企業が使用する商標若しくは標章とすることができる。これにより、液晶パネル玩具１を、ノベルティーグッズ、販売促進ツール、キャンペーングッズとして使用することができる。
【００３７】
液晶表示装置１の形態に限定はないが、枠体６を表示物３に応じた形態とすることで、
趣向性を高めると共に、携帯性を高めた形態とすることができる。
例えば、前記した子供のための玩具として使用する場合には、表示物３に関連するヒーローものや戦隊ものに関連するキャラクターやアイテムの形態をモチーフとした形態を採用してもよい。
また、携帯性を高めるため、キーホルダー、携帯ストラップ又はカード等の形態を採用してもよい。
【符号の説明】
【００３８】
１  液晶表示装置
２  液晶パネル
２１  上偏光板
２２  透明電極
２３  液晶剤
２４  下偏光板
３  表示物
３１  固定板
３２  係止部
３３  持ち手部
４  スイッチ
５  スロット
６  枠体
【図１】
0003194671.tif 000003
【図２】
0003194671.tif 000004